(57)【要約】      （修正有）【課題】休止時間の間に浪費される電力を節約する。【解決手段】ソケット１０１に入力される電源をそれぞれ復旧/遮断するスイッチング部１４０と、周辺機器３０の負荷を感知する個別負荷検出部１５０と、使用者の有無を感知する感知センサ１６０と、スイッチング部１４０をスイッチングし、ソケット１０１を通して出力される電源を制御するマイクロプロセッサ１７０と、前記スイッチング部１４０のスイッチング手段１４１がスイッチングされるように駆動信号を出力する個別駆動信号出力部１８０と、インターフェース部１２０を通してマイクロプロセッサ１７０に電源制御命令信号を出力し、使用者がメニューを通してシステムを制御するように、各種の管理者設定メニューを提供する応用プログラム形態にコンピュータ本体１０にインストールされるモニタリング及び管理部１９０と、を含んで待機電力制御装置を構成する。【選択図】図１
2006139745.tif 000002
【特許請求の範囲】
【請求項１】
本体およびモニターを含むコンピュータシステムと、プリンター、スキャナー、スピーカー、ＰＣカメラなどの周辺機器の電源を制御する電力制御装置であって、
常用電源をシステムで必要な直流電源に可変して各構成部に必要電源を供給する電源部と、
前記コンピュータ本体と通信ラインを通して連結され、前記コンピュータ本体から伝送される信号をインターフェースするインターフェース部と、
前記コンピュータのキーボード及びマウスに接続され、キーボード及びマウスの入力信号を前記マイクロプロセッサに伝達するように構成される入出力端子部と、
複数のソケットにそれぞれスイッチング手段が連結され、外部の制御によって前記スイッチング手段がスイッチングされて前記各ソケットに入力される電源をそれぞれ復旧/遮断するスイッチング部と、
前記スイッチング部を通して出力される電源状態により前記周辺機器の負荷を感知する個別負荷検出部と、
使用者の有無を感知するように前記コンピュータ本体またはモニターの一側に設置される感知センサと、
前記インターフェース部を通して前記コンピュータ本体から入力される信号と、前記入出力端子部を通して入力されるキーボード及びマウスの入力信号と、前記個別負荷検出部及び感知センサから入力される信号によって前記スイッチング部をスイッチングし、前記ソケットを通して出力される電源を制御するマイクロプロセッサと、
前記マイクロプロセッサから制御命令信号が入力されると、前記スイッチング部のスイッチング手段がスイッチングされるように駆動信号を出力する個別駆動信号出力部と、
前記コンピュータ本体、モニター及び周辺機器の使用可否を確認して前記インターフェース部を通して前記マイクロプロセッサに電源制御命令信号を出力し、使用者がメニューを通してシステムを制御するように、各種の管理者設定メニューを提供する応用プログラム形態に前記コンピュータにインストールされるモニタリング及び管理部と、を含むことを特徴とする待機電力制御装置。
【請求項２】
前記ソケットは、
前記マイクロプロセッサにより前記コンピュータ本体、モニター及び周辺機器を個別制御するように前記周辺機器別にそれぞれ指定されたアドレスを有し、
前記モニタリング及び管理部は、
前記マイクロプロセッサに電源制御命令を伝送するときにアドレス情報を含ませることを特徴とする請求項１記載の待機電力制御装置。
【請求項３】
前記モニタリング及び管理部は、
使用者が前記周辺機器の電源遮断命令を下すと、前記周辺機器の電源を選択または一括遮断する第１の電源制御命令を伝送するか、前記周辺機器の使用状態をリアルタイムでチェックした後、特定の周辺機器が所定時間の間アイドル(Idle)状態であると、該当の周辺機器に対する電源を遮断する第２の電源制御命令を伝送するか、使用者が前記周辺機器の電源を手動でオフにすると、該当の周辺機器の電源を遮断する第３の電源制御命令を伝送するか、マウスまたはキーボードから所定時間以上入力がない場合、前記周辺機器の電源を一括遮断、または使用している周辺機器を除いて使用しない周辺機器の電源のみを選択遮断する第４の電源制御命令を伝送することを特徴とする請求項１記載の待機電力制御装置。
【請求項４】
前記モニタリング及び管理部は、
使用者が前記周辺機器の電源復旧命令を下すと、前記周辺機器の電源を選択または一括復旧する第１の電源制御命令を伝送するか、前記周辺機器の使用状態をリアルタイムでチェックした後、特定の周辺機器の使用状態を確認して該当の周辺機器に対する電源を復旧する第２の電源制御命令を伝送するか、マウスまたはキーボードの入力可否を感知して前記周辺機器の電源を復旧する第３の電源制御命令を伝送することを特徴とする請求項１記載の待機電力制御装置。
【請求項５】
前記モニタリング及び管理部は、
前記周辺機器の復旧時、周辺機器のウォーミングアップ状態では、電源復旧を知らせるメッセージを復旧完了時まで前記コンピュータモニターにディスプレイすることを特徴とする請求項４記載の待機電力制御装置。
【請求項６】
前記モニタリング及び管理部は、
使用者が前記コンピュータモニターの電源遮断命令を下すと、前記コンピュータモニターの電源を遮断する第１の電源制御命令を伝送するか、前記コンピュータモニターの使用状態をリアルタイムでチェックした後、前記コンピュータモニターが所定時間の間アイドル(Idle)状態であると、前記コンピュータモニターに対する電源を遮断する第２の電源制御命令を伝送するか、使用者が前記コンピュータモニターの電源をオフにすると、前記コンピュータモニターの電源を遮断する第３の電源制御命令を伝送するか、マウスまたはキーボードから所定時間以上入力がない場合、前記コンピュータモニターの電源を直接遮断する第４の電源制御命令を伝送するか、前記コンピュータシステムの電源オプション中、モニター電源設定によってスクリーンセーバーまたはモニターオフが動作すると、前記コンピュータモニターの電源を遮断する第５の電源制御命令を伝送することを特徴とする請求項１記載の待機電力制御装置。
【請求項７】
前記モニタリング及び管理部は、
マウスまたはキーボードの入力可否を感知し、前記コンピュータモニターの電源を復旧する復旧命令を伝送することを特徴とする請求項１記載の待機電力制御装置。
【請求項８】
前記モニタリング及び管理部は、
前記周辺機器の電源が全て遮断された状態で前記コンピュータ本体をモニタリングし、使用停止状態であると、現在まで進行中の作業を保存する命令を発生して保存した後、システムを終了することを特徴とする請求項１記載の待機電力制御装置。
【請求項９】
前記モニタリング及び管理部は、
システムの終了前に、前記コンピュータシステムの電源オプションによってハードディスクをオフにするかシステム待機モードを動作し、所定時間の間前記コンピュータ本体をモニタリングして継続して使用停止状態であると、システムを終了することを特徴とする請求項８記載の待機電力制御装置。
【請求項１０】
前記マイクロプロセッサは、
前記コンピュータ本体のシステムが終了されて前記モニタリング及び管理部から所定回数以上応答がないか、前記入出力端子部を通してキーボードまたはマウスから所定時間以上入力がないか、前記個別負荷検出部を通して前記コンピュータ本体、コンピュータモニターまたは周辺機器の負荷量を検出して負荷量が所定以下に低下するか、前記感知センサを通して使用者が所定時間以上感知されない場合、前記コンピュータ本体、コンピュータモニターまたは周辺機器の電源を遮断することを特徴とする請求項９記載の待機電力制御装置。
【請求項１１】
前記マイクロプロセッサは、
前記コンピュータ本体、コンピュータモニター及び周辺機器の電源がパワーオフになるか遮断された状態で、使用者がキーボードまたはマウスを用いて入力信号を発生して前記入出力端子部に入力信号を伝送するか、前記感知センサを通して使用者が感知される場合、前記コンピュータ本体、モニター及び周辺機器の電源をブーティングまたは復旧することを特徴とする請求項１記載の待機電力制御装置。
【請求項１２】
前記マイクロプロセッサーは、
前記コンピュータモニター及び周辺機器の電源が遮断された状態で、前記モニタリング及び管理部が使用者の前記コンピュータモニター及び周辺機器の電源復旧命令を受け、前記コンピュータモニター及び周辺機器の電源を選択または一括復旧する第１の電源制御命令を伝送するか、前記コンピュータモニター及び周辺機器の使用状態をリアルタイムでチェックした後、特定の周辺機器の使用状態を確認して該当の周辺機器に対する電源を復旧する第２の電源制御命令を伝送するか、マウスまたはキーボードの入力可否を感知して前記コンピュータモニター及び周辺機器の電源を復旧する第３の電源制御命令を伝送する場合、これによって、モニター及び周辺機器の電源を選択的または一括的に復旧することを特徴とする請求項１記載の待機電力制御装置。
【請求項１３】
前記マイクロプロセッサは、
前記コンピュータ本体の電源が完全に遮断された状態で前記感知センサを通して使用者が感知されると、前記コンピュータ本体に待機電力のみを供給することを特徴とする請求項１記載の待機電力制御装置。
【発明の詳細な説明】
【技術分野】
【０００１】
本発明は、待機電力制御装置に関するもので、詳しくは、コンピュータに連結された周辺機器及びコンピュータ本体の状態をモニタリングし、そのモニタリング結果によって周辺機器及び本体の電源を完全に遮断することで、待機電力発生を遮断できる待機電力制御装置に関するものである。
【背景技術】
【０００２】
最近、エネルギー節約および環境保護のために、節電型電気製品が開発および普及されている。我が国でも、１９９０年代初めに電力用半導体からなる節電型電子式蛍光灯を用いることで、照明分野で画期的な電気節約を行っている。各国では、エネルギー節約型製品を広く普及するために、電気製品のエネルギー効率等級を１等級から５等級まで区分している。
【０００３】
ここで、待機電力は、エネルギー効率等級を決定するのに最も重要である。
待機電力の一例を挙げると、リモコンを使用するＴＶは、プレヒーターといわれるが、画面が直に出るようにするか、遠隔調整用電力が消費されるようになっており、自体のスイッチをオフにしても、プラグを抜かない限り電気が消耗される。
【０００４】
ある調査によると、待機電力は、国内家庭用消費電力の１１％水準にこれを節約する場合、世帯当り年間３万３０００ウォン、全国的に５０００億ウォンのエネルギー節減効果がある。また、ＯＥＣＤ会員国の場合は、家庭部門の平均電力消耗量の１０〜１５％が毎年待機電力として消耗される状態であり、全世界的にも、主に待機電力により電力が浪費されることが分かる。
【０００５】
２００１年、カリフォルニア電力事態後、待機電力は、米国の言論により‘電気を吸い込む吸血鬼(Power  Vampire)'とまで描写されており、米国政府では、待機電力１ワットを遵守しない製品は、政府の購買調達から除外するという大統領令を発表した。
【０００６】
ＥＵは、ブリュッセル電力効率綱領により待機電力基準を設けており、日本も、待機電力規定を設けて業界と共同に待機電力の技術開発に拍車を加えている。
【０００７】
一方、現代社会は、コンピュータの仕様が高くなってマルチメディア化されることで、家庭または事務室で使用されるコンピュータには、多くの周辺機器が共に連結されている。例えば、一般に、コンピュータ一台にモニター、スピーカー、プリンター、スキャナー、ＰＣカメラなどが連結される。このようなコンピュータおよび周辺機器に電源を供給するために、コンピュータ用マルチコンセントが多く用いられる。
【０００８】
しかしながら、このような周辺機器は、コンピュータ本体が動作中のときのみに使用者の必要によって使用されるので、コンピュータ本体を使用しない場合は、使用者が一々各装置の電源をオフにすべきであるという不便がある。例えば、コンピュータ本体の電源はオフにしたが、本体のプラグをコンセントに差し込んだ場合(以下、'待機時間'という)、コンピュータ本体の電源をオンにした状態で本体、または特定あるいは全体の周辺機器を長時間使用しない場合(以下、'休止時間'という)がそうである。このような'休止時間'に浪費される電力は、待機時間に浪費される電力よりも遥かに大きいので深刻な問題である。
【０００９】
待機時間の間の電力節減に対しては、前記マルチコンセントに手動で操作可能なスイッチを設置して電源オン/オフを制御する方式や、コンピュータ用コンセントからコンピュータ本体に供給される電源の電流を検出し、本体の電源がオフであるときに周辺機器に供給される電源を遮断する方式が知られている。例えば、大韓民国実用新案登録第２０-２１８８４３号(登録日:２００１年１月１９日)で公示された'節電型マルチコンセント’は、電流検出方式によりコンピュータ本体のオン/オフ状態を感知し、本体がオフ状態である場合、周辺機器への電源供給を遮断する。
【００１０】
しかしながら、休止時間の間の電力節減、すなわち、使用者がコンピュータ本体の電源をオンにした状態で本体、または特定あるいは全体の周辺機器を長時間使用しない場合に対しては、特別な対策が設けられてないという問題点があった。
【発明の開示】
【発明が解決しようとする課題】
【００１１】
本発明は、前記のような問題点を解決するためになされたもので、コンピュータに連結された周辺機器及びコンピュータ本体の状態をモニタリングして周辺機器及び本体の電源を制御することで、コンピュータおよび一つ以上の周辺機器をオンにした状態であるが、実際は食事、会議、決裁、外出などにより使用しない休止時間の間に浪費される電力を節約するとともに、一つ以上の周辺機器を使用する場合、オンにした状態で使用しないもう一つの周辺機器の浪費電力までも節約するようになり、完壁な節電を可能にする待機電力制御装置を提供することを目的とする。
また、本発明は、退勤、睡眠などで本体の電源をオフ(システム終了)にした後、発生するコンピュータ本体及び周辺機器の待機電力(本体の電源をオフにしても、電源プラグを抜かない限り消費される電力)を完壁に節約できる待機電力制御装置を提供することを目的とする。
【課題を解決するための手段】
【００１２】
前記目的を達成するために、本発明による待機電力制御装置は、本体およびモニターを含むコンピュータシステムと、プリンター、スキャナー、スピーカー、ＰＣカメラなどの周辺機器の電源を制御する電力制御装置であって、常用電源をシステムで必要な直流電源に可変して各構成部に必要電源を供給する電源部と、前記コンピュータ本体と通信ラインを通して連結され、前記コンピュータ本体から伝送される信号をインターフェースするインターフェース部と、前記コンピュータのキーボード及びマウスに接続され、キーボード及びマウスの入力信号を前記マイクロプロセッサに伝達するように構成される入出力端子部と、複数のソケットにそれぞれスイッチング手段が連結され、外部の制御によって前記スイッチング手段がスイッチングされて前記各ソケットに入力される電源をそれぞれ復旧/遮断するスイッチング部と、前記スイッチング部を通して出力される電源状態により前記周辺機器の負荷を感知する個別負荷検出部と、使用者の有無を感知するように前記コンピュータ本体またはモニターの一側に設置される感知センサと、前記インターフェース部を通して前記コンピュータ本体から入力される信号と、前記入出力端子部を通して入力されるキーボード及びマウスの入力信号と、前記個別負荷検出部及び感知センサから入力される信号によって前記スイッチング部をスイッチングし、前記ソケットを通して出力される電源を制御するマイクロプロセッサと、前記マイクロプロセッサから制御命令信号が入力されると、前記スイッチング部のスイッチング手段がスイッチングされるように駆動信号を出力する個別駆動信号出力部と、前記コンピュータ本体、モニター及び周辺機器の使用可否を確認して前記インターフェース部を通して前記マイクロプロセッサに電源制御命令信号を出力し、使用者がメニューを通してシステムを制御するように、各種の管理者設定メニューを提供する応用プログラム形態に前記コンピュータにインストールされるモニタリング及び管理部と、を含むことを特徴とする。
【発明の効果】
【００１３】
本発明による待機電力制御装置は、コンピュータに連結された周辺機器及びコンピュータ本体の状態をモニタリングして周辺機器及び本体の電源を制御することで、コンピュータおよび一つ以上の周辺機器をオンにし状態であるが、実際は食事、会議、決裁、外出などにより使用しない休止時間、及びシステム終了後、待機時間の間に浪費される電力を節約するとともに、一つ以上の周辺機器を使用する場合、もう一つの使用しない周辺機器の浪費電力までも節約するようになり、完壁な節電を可能にするという効果がある。
【発明を実施するための最良の形態】
【００１４】
以下、本発明による待機電力制御装置の構成を、図面に基づいて説明する。
図１は、本発明による待機電力制御装置の構成を示したブロック図である。
図１に示すように、本発明による待機電力制御装置１００は、電源部１１０と、インターフェース部１２０と、入出力端子部１３０と、スイッチング部１４０と、個別負荷検出部１５０と、感知センサ１６０と、マイクロプロセッサ１７０と、個別駆動信号出力部１８０と、モニタリング及び管理部１９０と、から構成される。
【００１５】
電源部１１０は、常用電源(１１０/２２０Ｖ)をシステムで必要な直流電源に可変して各構成部に必要電源を供給する。電源部１１０は、交流電源を直流電源に整流する整流回路(図示せず)と、この整流回路から出力される直流電源を所定の直流電源に可変して出力する定電圧回路(図示せず)と、を備える。また、電源部１１０は、後述するインターフェース部１２０を通してコンピュータ本体１０から直流電圧を受けることもできる。
【００１６】
インターフェース部１２０は、コンピュータ本体１０と通信ラインを通して連結され、コンピュータ本体１０から伝送される信号をインターフェースする。ここで、インターフェース部１２０は、ＵＳＢ、ＰＳ２、ＲＳ２３２などが通信方式を支援する。
【００１７】
入出力端子部１３０は、コンピュータ本体１０のマウス１１及びキーボード１２に接続され、マウス１１及びキーボード１２の入力信号をマイクロプロセッサ１７０に伝達する。すなわち、入出力端子部１３０は、マウス１１及びキーボード１２が結合されるようにＰＳ２、ＵＳＢポートを備え、コンピュータ本体１０のＰＳ２、ＵＳＢポートに結合されるようにＰＳ２、ＵＳＢポートを備える。
【００１８】
スイッチング部１４０は、複数のソケット１０１にリレーのような各スイッチング手段１４１が連結されており、後述する個別駆動信号出力部の駆動信号によってスイッチング手段１４１がスイッチングされることで、各ソケット１０１に入力される常用電源を復旧/遮断する。ここで、ソケット１０１は、マイクロプロセッサ１７０がコンピュータ本体１０、コンピュータモニター２０及び周辺機器３０を個別制御するように周辺機器別にそれぞれ指定されたアドレスを有し、ソケット１０１を通して使用電源が供給される。
【００１９】
個別負荷検出部１５０は、スイッチング部１４０を通して出力される電源状態のフィードバックを受けて周辺機器３０の負荷を感知する。ここで、個別負荷検出部１５０で検出される負荷量によりシステムの正常作動可否を監視することもできる。
【００２０】
感知センサ１６０は、使用者の有無を感知するようにコンピュータ本体１０またはモニター２０の一側に設置される。ここで、感知センサ１６０には、熱センサ、光センサ、接触センサ、音響センサなどが使用される。
【００２１】
マイクロプロセッサ１７０は、インターフェース部１２０を通してコンピュータ本体１０から入力される第１の信号と、入出力端子部１３０を通してマウス１１及びキーボード１２から入力される第２の信号と、個別負荷検出部１５０及び感知センサ１６０から入力される第３の信号と、によってスイッチング部１４０をスイッチングすることで、ソケット１０１を通して出力される電源を制御する。ここで、マイクロプロセッサ１７０は、コンピュータモニター２０及び周辺機器３０の電源が遮断された状態で、モニタリング及び管理部１９０からインターフェース部１２０を通して使用者のコンピュータモニター２０及び周辺機器３０の電源復旧命令を受け、コンピュータモニター２０及び周辺機器３０の電源を選択または一括復旧する第１の電源制御命令を伝送するか、コンピュータモニター２０及び周辺機器３０の使用状態をリアルタイムでチェックした後、特定の周辺機器の使用を確認して該当の周辺機器に対する電源を復旧する第２の電源制御命令を伝送するか、マウス１１またはキーボード１２の入力可否を感知してコンピュータモニター２０及び周辺機器３０の電源を復旧する第３の電源制御命令を伝送する場合、これによって、コンピュータモニター２０及び周辺機器３０の電源を選択または一括復旧する。
【００２２】
また、マイクロプロセッサ１７０は、コンピュータ本体１０のシステムが終了されてモニタリング及び管理部１９０から所定回数以上応答がないか、マウス１１及びキーボード１２から所定時間以上入力がないか、個別負荷検出部１５０を通してコンピュータ本体１０、コンピュータモニター２０または周辺機器３０の負荷量を検出して負荷量が所定以下に低下するか、感知センサ１６０を通して使用者が所定時間以上感知されない場合、コンピュータ本体１０、モニター２０または周辺機器３０の電源を遮断する。
【００２３】
また、マイクロプロセッサ１７０は、コンピュータ本体１０、コンピュータモニター２０及び周辺機器３０の電源がパワーオフあるいは遮断された状態で使用者がキーボード１２またはマウス１１を通して入力信号を発生するか、感知センサ１６０を通して使用者が感知される場合、コンピュータ本体１０、モニター２０及び周辺機器３０の電源を復旧する。
【００２４】
また、マイクロプロセッサ１７０は、コンピュータ本体１０の電源が完全に遮断された状態で感知センサ１６０を通して使用者が感知されると、コンピュータ本体１０に待機電力のみを供給する。
【００２５】
個別駆動信号出力部１８０は、マイクロプロセッサ１７０から制御命令信号が入力されると、該当のスイッチング部１４０のスイッチング手段１４１がスイッチングされるように駆動信号を出力する。
【００２６】
モニタリング及び管理部１９０は、コンピュータ本体１０の実際使用可否および周辺機器３０の使用可否を確認してインターフェース部１２０を通してマイクロプロセッサ１７０に信号を出力し、使用者がメニューを通してシステムを制御するように、各種の管理者設定メニューを提供する応用プログラム形態にコンピュータ本体１０にインストールされる。ここで、モニタリング及び管理部１９０は、マイクロプロセッサ１７０に電源制御命令を伝送するときにアドレス情報を含ませる。
【００２７】
また、モニタリング及び管理部１９０は、使用者が周辺機器３０の電源遮断命令を下すと、周辺機器３０の電源を選択または一括遮断する第１の電源制御命令を伝送するか、周辺機器３０の使用状態をリアルタイムでチェックした後、特定の周辺機器が所定時間の間アイドル状態であると、該当の周辺機器に対する電源を遮断する第２の電源制御命令を伝送するか、使用者が特定の周辺機器の電源を手動でオフにすると、該当の周辺機器の電源を遮断する第３の電源制御命令を伝送するか、マウス１１またはキーボード１２から所定時間以上入力がない場合、周辺機器３０の電源を一括遮断する第４の電源制御命令を伝送する。
【００２８】
その反面、モニタリング及び管理部１９０は、使用者がメニューを通して周辺機器３０の電源復旧命令を下すと、周辺機器３０の電源を選択または一括復旧する第１の電源制御命令を伝送するか、周辺機器３０の使用状態をリアルタイムでチェックした後、特定の周辺機器の使用を確認して該当の周辺機器に対する電源を復旧する第２の電源制御命令を伝送するか、マウス１１またはキーボード１２の入力可否を感知して周辺機器３０の電源を一括復旧、または使用している周辺機器３０を除いて使用しない周辺機器３０の電源のみを選択復旧する第３の電源制御命令を伝送する。ここで、モニタリング及び管理部１９０は、周辺機器３０の復旧時、周辺機器３０のウォーミングアップ状態では、電源復旧を知らせるメッセージを復旧完了時までコンピュータモニター２０にディスプレイする。
【００２９】
また、モニタリング及び管理部１９０は、使用者がコンピュータモニター２０の電源遮断命令を下すと、コンピュータモニター２０の電源を遮断する第１の電源制御命令を伝送するか、コンピュータモニター２０の使用状態をリアルタイムでチェックした後、コンピュータモニター２０が所定時間の間アイドル状態であると、コンピュータモニター２０に対する電源を遮断する第２の電源制御命令を伝送するか、使用者がコンピュータモニター２０の電源をオフにすると、コンピュータモニター２０の電源を遮断する第３の電源制御命令を伝送するか、マウス１１またはキーボード１２から所定時間以上入力がない場合、コンピュータモニター２０の電源を直接遮断する第４の電源制御命令を伝送するか、コンピュータシステムの電源オプション中、モニター電源設定によってスクリーンセーバーまたはモニターオフが動作すると、コンピュータモニター２０の電源を遮断する第５の電源制御命令を伝送する。
【００３０】
その反面、モニタリング及び管理部１９０は、マウス１１またはキーボード１２の入力可否を感知してコンピュータモニター２０の電源を復旧し、コンピュータモニター２０の使用状態(コンピュータ本体１０からの映像データの伝送など)可否をリアルタイムでチェックしてコンピュータモニター２０の電源を復旧する。
【００３１】
また、モニタリング及び管理部１９０は、周辺機器３０の電源が全て遮断された状態でコンピュータ本体１０をモニタリングし、使用停止状態(ダウンロード、ファイル伝送、プログラム駆動、周辺機器へのデータ伝送などがない状態)であると、現在まで進行中の作業を保存する命令を発生して保存した後、システムを終了する。ここで、モニタリング及び管理部１９０は、システムの終了前に、コンピュータシステムの電源オプションによってハードディスクオフまたはシステム待機モードを動作し、所定時間の間コンピュータ本体１０をモニタリングして継続して使用停止状態であると、システムを終了する。
【００３２】
以下、本発明による待機電力制御装置の動作を、図１乃至図３に基づいて説明する。
【００３３】
図２は、本発明による待機電力制御装置のモニタリング及び管理部における電源制御方法を説明するための動作フローチャートであり、図３は、本発明による待機電力制御装置のマイクロプロセッサにおける電源制御方法を説明するための動作フローチャートである。
【００３４】
まず、本発明を説明する前に用語を定義すると、システム終了またはパワーオフ状態とは、システムで提供するパワーボタンを押すことで、システムの作動を完全に中断した状態をいい、この場合は、システムの待機電力が残っていて所定の電力消耗が発生する。また、電源遮断状態とは、システムの入力電源が完全に遮断され、電力消耗が全く発生しない状態をいい、この場合は、プラグを抜いた状態と同様である。
【００３５】
《ディバイスアドレス設定》
本発明による待機電力制御装置１００の各ソケット１０１は、指定されたアドレスを有している。各ソケット１０１は、コンピュータ本体１０、コンピュータモニター２０、スピーカー、プリンターなどの固有の周辺機器３０のプラグを差し込むように既に定義されたラベル(Label)を有しており、周辺機器３０のプラグを該当のソケットに差し込むと、直ちにその周辺機器のアドレスが決定される。これをデフォルト(default)設定という。一方、特定の周辺機器のアドレスを任意に設定する場合、使用者は、モニタリング及び管理部１９０を通して周辺機器３０のアドレスを再設定することもできる。
【００３６】
《モニタリング及び管理部における周辺機器の電源制御》
まず、コンピュータ本体１０、コンピュータモニター２０及び周辺機器３０がそれぞれ割り当てられたソケット１０１に接続され、スイッチング部１４０がオンになってこれら全てに電源が供給され、コンピュータ本体１０がブーティングされてシステムが動作する。
【００３７】
このような状態で、図２に示すように、使用者がモニタリング及び管理部１９０を通して特定の周辺機器または全ての周辺機器の電源を遮断するために該当のオプションを選択すると(Ｓ１０)、モニタリング及び管理部１９０は、どの周辺機器の電源遮断命令であるかを判断し(Ｓ１１)、該当の周辺機器のフラグ(flag)を１に設定した後(Ｓ１２)、該当の周辺機器のアドレスと、電源を遮断するように電源制御命令が含まれた信号と、をマイクロプロセッサ１７０に伝送する(Ｓ１３)。
【００３８】
また、モニタリング及び管理部１９０は、図２の周期１(period１)と同様に、周辺機器３０の使用状態をリアルタイムでチェックし(Ｓ２０、Ｓ２１)、特定の周辺機器が所定時間の間アイドル状態であるかを判断し(Ｓ２２)、その判断結果、所定時間の間アイドル状態を維持している場合、該当の周辺機器のフラグ(flag)を１に設定し(Ｓ２４)、システムで設定した電源を遮断する前に、最大の待機許容時間の間待機する(Ｓ２５)。ここで、該当の周辺機器が所定時間の間アイドル状態を維持せずに使用された場合、モニタリング及び管理部１９０は、該当の周辺機器のフラグを０に設定する(Ｓ２３)。
【００３９】
次いで、モニタリング及び管理部１９０は、図２の周期２(period２)と同様に、待機許容時間の間該当の周辺機器が使用されたかどうか、すなわち、該当の周辺機器のフラグが継続して１を維持するかどうかを判断し(Ｓ３０、Ｓ３１)、継続して１を維持した場合、該当の周辺機器のアドレスおよび電源を遮断するように電源制御命令が含まれた信号をマイクロプロセッサに伝送する(Ｓ３３)。もし、該当の周辺機器のフラグが継続して１を維持しない場合、モニタリング及び管理部１９０は、該当の周辺機器のフラグを０に設定する(S３２)。
【００４０】
また、モニタリング及び管理部１９０は、使用者が周辺機器の電源を手動でオフにするかをチェックし(Ｓ４０)、使用者が手動でオフにする場合(Ｓ４１)、該当の周辺機器のフラグ(flag)を１に設定し(Ｓ４２)、周辺機器のアドレスおよび電源を遮断するように電源制御命令が含まれた信号をマイクロプロセッサ１７０に伝送する(Ｓ４３)。
【００４１】
また、モニタリング及び管理部１９０は、マウス１１またはキーボード１２からの未入力をチェックし(Ｓ５０)、所定時間以上入力がないと(Ｓ５１)、全ての周辺機器のフラグ(flag)を１に設定し(Ｓ５２)、全ての周辺機器のアドレスおよび電源を遮断するように電源制御命令が含まれた信号をマイクロプロセッサ１７０に伝送する(Ｓ５３)。
【００４２】
その反面、モニタリング及び管理部１９０は、使用者がメニューを通して周辺機器３０の電源復旧命令を下すと、周辺機器３０の電源を選択または一括復旧する第１の電源制御命令を伝送するか、周辺機器３０の使用状態をリアルタイムでチェックした後、特定の周辺機器の使用を確認して該当の周辺機器に対する電源を復旧する第２の電源制御命令を伝送するか、マウス１１またはキーボード１２の入力可否を感知して周辺機器３０の電源を一括復旧、または使用している周辺機器３０を除いて使用しない周辺機器３０の電源のみを選択復旧する第３の電源制御命令を伝送する。
【００４３】
しかしながら、特定の周辺機器、例えば、プリンターやスキャナーの場合、コンピュータから周辺機器にサービスを要請する瞬間、周辺機器に電源が供給されないとエラーメッセージが浮かぶが、この場合、周辺機器のウォーミングアップ状態では、モニタリング及び管理部１９０は、エラーメッセージの代わりに、電源復旧を知らせるメッセージを復旧完了(例えば、"ディバイス電源復旧完了")時までコンピュータモニター２０にディスプレイし、使用者により再びその周辺機器に対するサービスが要請される。
【００４４】
《マイクロプロセッサにおける周辺機器の電源制御》
マイクロプロセッサにおける周辺機器の電源制御過程を説明すると、マイクロプロセッサ１７０は、図３に示すように、モニタリング及び管理部１９０から電源制御命令が伝送されると(Ｓ１００)、応答回数を０に設定した後(Ｓ１１０)、該当の電源制御命令を判読して電源遮断命令であると(Ｓ１２０)、インターフェース部１２０を通して入力された信号を分析して電源制御する周辺機器を確認し、個別駆動信号出力部１８０を制御して該当の周辺機器が連結されたソケット１０１に連結されたスイッチング部１４０のスイッチング手段１４１をターン-オフにし、ソケット１０１に連結された周辺機器に供給される電源を遮断する(Ｓ１３０)。マイクロプロセッサ１７０は、該当の電源制御命令を判読して電源投入命令であると(Ｓ１４０)、個別駆動信号出力部１８０を制御して該当の周辺機器が連結されたソケット１０１に連結されたスイッチング部１４０のスイッチング手段１４１をターン-オンにし、ソケット１０１に連結された周辺機器に供給される電源を投入する(Ｓ１５０)。すなわち、マイクロプロセッサ１７０は、周辺機器３０の電源が遮断された状態で、モニタリング及び管理部１９０からインターフェース部１２０を通して使用者の周辺機器３０の電源復旧命令を受け、周辺機器３０の電源を選択または一括復旧する第１の電源制御命令を伝送するか、周辺機器３０の使用状態をリアルタイムでチェックした後、特定の周辺機器の使用を確認して該当の周辺機器に対する電源を復旧する第２の電源制御命令を伝送するか、マウス１１またはキーボード１２の入力可否を感知して周辺機器３０の電源を復旧する第３の電源制御命令を伝送する場合、これによって、周辺機器３０の電源を選択または一括復旧する。
【００４５】
また、マイクロプロセッサ１７０は、図３の周期１(period１)と同様に、個別負荷検出部１５０を通して周辺機器３０の負荷量を検出し(Ｓ２００、 Ｓ２１０)、これを基準負荷と比較して負荷量が所定以下に低下すると(Ｓ２２０)、周辺機器３０の電源を遮断する(Ｓ２３０)。
【００４６】
また、マイクロプロセッサ１７０は、図３の周期２(period２)と同様に、モニタリング及び管理部１９０から応答を確認し(Ｓ３００、Ｓ３１０)、３回以上応答がないと(Ｓ３２０)、段階２３０(Ｓ２３０)にパスされて個別駆動信号出力部１８０を制御し、周辺機器３０が連結されたソケット１０１に連結されたスイッチング部１４０のスイッチング手段１４１を全てターン-オフにし、ソケット１０１に連結された周辺機器３０で供給される電源を一括遮断する。
【００４７】
《コンピュータモニターの電源制御》
モニタリングおよび管理部並びにマイクロプロセッサにおけるコンピュータモニターの電源制御過程を説明すると、まず、モニタリング及び管理部１９０は、使用者がコンピュータモニター２０の電源遮断命令を下すと、コンピュータモニター２０の電源を遮断する電源制御命令を伝送する。
【００４８】
また、モニタリング及び管理部１９０は、コンピュータモニター２０の使用状態をリアルタイムでチェックした後、コンピュータモニター２０が所定時間の間アイドル状態であると、コンピュータモニター２０に対する電源を遮断する第１の電源制御命令を伝送し、使用者が手動でコンピュータモニター２０の電源をオフにすると、コンピュータモニター２０の電源を遮断する第２の電源制御命令を伝送し、マウス１１またはキーボード１２から所定時間以上入力がない場合、コンピュータモニター２０の電源を直接遮断する第３の電源制御命令を伝送する。
【００４９】
また、モニタリング及び管理部１９０は、コンピュータシステムの電源オプション中、モニター電源設定によってスクリーンセーバーまたはモニターオフが動作すると、コンピュータモニター２０の電源を遮断する第４の電源制御命令を伝送する。すなわち、モニタリングおよび管理部１９０は、使用者がメニューを通してシステムの電力節約あるいは保護モード(EnergyStarというロゴが付いた、既にコンピュータの内部に装着された電源管理プログラム-モニターオフまたはスクリーンセーバーなど)の作動時、コンピュータモニター２０の入力電源遮断を選択した場合、前記モードで入力電源が完全に遮断される。
【００５０】
一方、マイクロプロセッサ１７０は、感知センサ１６０及び個別負荷検出部１５０を通してコンピュータモニター２０に長時間使用者がいないか、コンピュータモニター２０がオフになって負荷量が低下するか、マウス１１またはキーボード１２から所定時間以上入力がないと、自体的にコンピュータモニター２０の電源を遮断する。
【００５１】
その反面、モニタリング及び管理部１９０は、マウス１１またはキーボード１２の入力可否を感知し、マウス１１またはキーボード１２から入力があると、コンピュータモニター２０の電源を復旧し、コンピュータモニター２０の使用状態可否をリアルタイムでチェックしてコンピュータモニター２０の電源を復旧する。
【００５２】
また、マイクロプロセッサ１７０は、入出力端子部１３０を通して使用者がマウス１１またはキーボード１２を用いて入力を発生するか、感知センサ１６０から使用者が感知されると、コンピュータモニター２０の電源を復旧する。すなわち、マイクロプロセッサ１７０は、コンピュータモニター２０の電源が遮断された状態でモニタリング及び管理部１９０からインターフェース部１２０を通して使用者のコンピュータモニター２０の電源復旧命令を受け、コンピュータモニター２０の電源を選択または一括復旧する第１の電源制御命令を伝送するか、コンピュータモニター２０の使用状態をリアルタイムでチェックした後、コンピュータモニター２０の使用を確認してコンピュータモニター２０に対する電源を復旧する第２の電源制御命令を伝送するか、マウス１１またはキーボード１２の入力可否を感知してコンピュータモニター２０の電源を復旧する第３の電源制御命令を伝送する場合、これによって、コンピュータモニター２０の電源を復旧する。
【００５３】
《コンピュータ本体の電源制御》
モニタリング及び管理部並びにマイクロプロセッサでコンピュータ本体の電源制御をする過程を説明すると、まず、マイクロプロセッサ１７０は、周辺機器３０の全ての電源が遮断されると、モニタリング及び管理部１９０に周辺機器電力遮断というメッセージに該当する第１の信号を伝達する。また、モニタリング及び管理部１９０は、自体的に周辺機器３０の使用状態をリアルタイムで直接チェックし、全ての周辺機器３０の電源が遮断されると、周辺機器電力遮断というメッセージに該当する第２の信号を伝達する。
【００５４】
この信号を受けたモニタリング及び管理部１９０は、周辺機器３０の電源が全て遮断された状態でコンピュータ本体１０をモニタリングし、使用停止状態であると、現在まで進行中の作業を保存する命令を発生して保存した後、システムを終了する。ここで、モニタリング及び管理部１９０は、システムの終了前にコンピュータシステムの電源オプションによってハードディスクオフまたはシステム待機モードを動作し、所定時間の間コンピュータ本体１０をモニタリングし、継続して使用停止状態であるとシステムを終了する。
【００５５】
また、モニタリング及び管理部１９０は、周辺機器３０の電源が完全に一括遮断された後、所定の第２次設定時間が経過するまで一つ以上の周辺機器が使用されてなく、コンピュータ本体１０が使用停止状態であると、現在まで進行中の作業を保存する命令を発生して保存した後、システムを終了することもできる。また、モニタリング及び管理部１９０は、コンピュータ本体１０の作動状態を周期的にモニタリングし、所定時間以上に入出力がない場合は、システムを強制的にハードディスクオフまたはシステム待機モードに転換することもできる。
【００５６】
システムが終了されると、マイクロプロセッサ１７０は、周辺機器３０及びコンピュータモニター２０の電源を遮断することと同様な方式、すなわち、応答回数チェック、負荷量比較、マウス及びキーボード入力、感知センサなどを通してコンピュータ本体１０を確認して電源投入を遮断する。一方、マイクロプロセッサ１７０は、独自に前記方式を用いてシステム終了を行うこともできる。
【００５７】
その反面、マイクロプロセッサ１７０は、コンピュータ本体１０の電源が完全に遮断された状態で、入出力端子部１３０を通して使用者がマウス１１またはキーボード１２を用いて入力を発生するか、感知センサ１６０を通して使用者が感知されると、コンピュータ本体１０に待機電力のみを供給するが、コンピュータ本体１０の電源が完全に遮断された場合は、待機電力さえもないため、コンピュータ本体１０のパワースイッチ(図示せず)を押してもシステムがオンにならない。このような場合は、まず、コンピュータ本体１０に待機電力を復旧する必要があるため、感知センサ１６０を通して使用者がコンピュータの前の席にいる場合、コンピュータ本体１０に待機電力のみを臨時的に供給し、使用者が再び席を離れる場合、コンピュータ本体１０に供給される待機電力を遮断する。
【００５８】
一方、本発明による待機電力制御装置１００を用いると、ネットワーク式電源制御が可能である。
【００５９】
すなわち、同じ部屋に多数のシステムがあり、特定の管理システムがある場合、管理システムで多数のコンピュータ及び周辺機器の電源を完全に遮断することができる。管理システムで個別的あるいはグループ別に使用している待機電力制御装置１００にメッセージを送って、待機電力制御装置１００と連係されたコンピュータ及び周辺機器の入力電源を遮断できるが、このような方式は、学校、会社、私設教育機関で電源を一括的に制御するために使用される。
【００６０】
また、本発明の待機電力制御装置１００を用いることで、建物全体の電源自動制御システムに運用される。ネットワークシステムの中央サーバーにモニタリング及び管理部をインストールして待機電力制御装置１００をボックス状の大容量に配置し、ここに、コンピュータ、周辺機器またはコンピュータ/周辺機器グループを連結して建物全体の電源管理及びその他の制御も可能になる。
【図面の簡単な説明】
【００６１】
【図１】本発明による待機電力制御装置の構成を示したブロック図である。
【図２】本発明による待機電力制御装置のモニタリング及び管理部における電源制御方法を説明するための動作フローチャートである。
【図３】本発明による待機電力制御装置のマイクロプロセッサにおける電源制御方法を説明するための動作フローチャートである。
【符号の説明】
【００６２】
１０  コンピュータ本体
２０  コンピュータモニター
３０  周辺機器
１００  待機電力制御装置
１０１  ソケット
１１０  電源部
１２０  インターフェース部
１３０  入出力端子部
１４０  スイッチング部
１４１  スイッチング手段
１５０  個別負荷検出部
１６０  感知センサ
１７０  マイクロプロセッサ
１８０  個別駆動信号出力部
１９０  モニタリング及び管理部
【図１】
2006139745.tif 000003
【図２】
2006139745.tif 000004
【図３】
2006139745.tif 000005